(57)【要約】【課題】河川等から取水口、用水路等の分岐流路に流れ込む水により運ばれてくるゴミ類を除去するために水中に配設されるバースクリーンのスクリーン面に付着、堆積するゴミ類を、バースクリーン上部にある足場に立った一人の作業者が比較的容易に、しかも効率的に除去、回収するのに適した除塵装置を提供する。【解決手段】流水の流路に設置されたバースクリーン３５により通過を阻止されて残留した異物を除去する除塵装置であって、バースクリーンの最下部付近からバースクリーン上方の足場３６を超えた高さ位置までの長さを有したガイド棒２と、ガイド棒によってガイド棒の長手方向に沿って進退自在に支持されたレーキ部１０と、レーキ部をガイド棒に沿って進退させる駆動機構２０と、を備え、駆動機構は、ガイド棒の上部に取り付けられた電動ウィンチ２１と、電動ウィンチによって巻き取られ且つレーキ部に固定されたワイヤ２５と、から成る。【選択図】図１
2007191938.tif 000002
【特許請求の範囲】
【請求項１】
流水の流路に設置されたバースクリーンにより通過を阻止されて残留した異物を除去する除塵装置であって、
前記バースクリーンの最下部付近から該バースクリーン上方の足場を超えた高さ位置までの長さを有したガイド棒と、該ガイド棒によって該ガイド棒の長手方向に沿って進退自在に支持されたレーキ部と、該レーキ部を該ガイド棒に沿って進退させる駆動機構と、を備え、
前記駆動機構は、前記ガイド棒の上部に取り付けられた電動ウィンチと、該電動ウィンチによって巻き取られ且つ前記レーキ部に固定されたワイヤと、から成ることを特徴とする除塵装置。
【請求項２】
前記ガイド棒の上部適所を支持する支持部材を保持した台座を備えていることを特徴とする請求項１に記載の除塵装置。
【請求項３】
前記台座上に作業者が搭乗できるように構成されていることを特徴とする請求項１又は２に記載の除塵装置。
【請求項４】
前記台座の底部に移動用のキャスターを設けたことを特徴とする請求項３に記載の除塵装置。
【請求項５】
前記ガイド棒を伸縮自在に構成したことを特徴とする請求項１乃至４の何れか一項に記載の除塵装置。
【発明の詳細な説明】
【技術分野】
【０００１】
本発明は河川、用水路等の水中に設置されたバースクリーンにより捕捉されて残留した落ち葉、流木等々のゴミ類を効率的に除去するための除塵装置に関する。
【背景技術】
【０００２】
水力発電所では河川から取水するための取水口を設ける際に、落ち葉、木の枝、流木、ビニール、小石等々のゴミ類の流入を阻止するためにバースクリーンを設けている。また、工業用水、農業用水を得るための取水口にも同様なバースクリーンが設けられている。バースクリーンは、例えば１５０ｍｍ程度の間隔で複数の金属縦棒を格子状に配置したものである。バースクリーンの高さ寸法は、流路の深さ、水量によって種々異なるが、２〜３ｍに達するものもある。
取水口の上流側での降雨量が多い場合や、落ち葉が多くなる季節においては、バースクリーンにより堰き止められるゴミ類の量も多くなり、取水量が低下するため、ゴミを除去する必要がある。
【０００３】
このようなゴミを除去する手段として、特許文献１乃至５には、熊手状のレーキ部を、大がかりな動力源と動力伝達機構を用いてバースクリーン面に沿って上下動させることによって溜まったゴミ類を除去、回収する除塵装置が開示されている。
しかし、何れの除塵装置も極めて大がかり、且つ大型の装置構成を有しているため、コストが高くなるばかりでなく、バースクリーンの上方に位置する足場のスペースが狭い場合には設置が困難となる。また、年間を通した使用頻度が決して多くないこの種の除塵装置は、不要な時には撤去して倉庫等に保管しておく必要があるが、大型、高重量であるために保管、移動、移設が困難である。バースクリーンの横幅が広い場合には、除塵装置を横方向へ移動させながらバースクリーンの全横幅に亘る除去作業を実施する必要があるが、このような大型、高重量の装置を移動させるためには更に大がかりな移動機構を組み付ける必要が生じる。また、除塵装置のメーカーサイドでは、バースクリーンの高さ方向寸法の違い、使用環境の違いに対応して、サイズ、構造の異なる除塵装置を種々設計する必要があり、あらゆる使用環境に対応可能な汎用性を有した除塵装置を提供することが困難であったため、これがコストアップの要因の一つとなっている。
【０００４】
このようなところから旧来の熊手を用いた手作業によるゴミの除去具が使用されることが多い。熊手式の除去具を用いたゴミの除去作業にあっては、図３に示すように、バースクリーン１００の上部にある足場１０１に立った作業者が除去具１１０自体を手で保持して上下動させることによりゴミ１１５を除去する。この除去具１１０は、短尺な場合には比較的軽量に構成することができるが、取水口の水深が深いためにバースクリーン１００の高さ寸法が大きい場合には除去具の柄１１１をそれに合わせて長尺にする必要がある。柄の長さが２〜４ｍ程度に長尺化すると、除去具の全重量も重くなり、レーキ部１１２により多量のゴミ１１５を掻き取って足場１０１まで持ち上げるためには多大な労力を要し、腰を痛めることも多々ある。特に、長尺の柄１１１を介して先端に位置するレーキ部１１２をバースクリーン１００の面に押当てつつ掻き上げる作業を行う必要があるために多大な力を要する。従って、一人での作業は困難となり、複数人での作業が必要となる。また、バースクリーンに引っ掛かった大きな流木を除去する場合、レーキ部により一旦捕捉した流木が掻き上げる過程で脱落し易く、除去作業が極めて困難になる。更に、除去具を作業中に河川に落下させる事態も発生し易い。
【特許文献１】実開平５−６１２２０号公報
【特許文献２】特開平９−１８４１２４号公報
【特許文献３】特開平９−２５３４０８号公報
【特許文献４】特開２０００−１８３７公報
【特許文献５】特開２００４−１３１９３０公報
【発明の開示】
【発明が解決しようとする課題】
【０００５】
以上のように従来のバースクリーン用の除塵装置は、大型、高重量、高コストな設備を必要とし、稼動時に設置可能な場所的条件に制限があり、非使用時の保管場所の確保や移設が困難である等という不具合があった。また、手で把持して操作することができる熊手式の除去具にあっては、柄の部分を長尺化した場合に操作性が低下するという欠点があった。
本発明は上記に鑑みてなされたものであり、河川等から取水口、用水路等の分岐流路に流れ込む水により運ばれてくるゴミ類を除去するために水中に配設されるバースクリーンのスクリーン面に付着、堆積するゴミ類を、バースクリーン上部にある足場に立った一人の作業者が比較的容易に、しかも効率的に除去、回収するのに適した除塵装置を提供することを目的としている。
【課題を解決するための手段】
【０００６】
上記目的を達成するため、請求項１の発明は、流水の流路に設置されたバースクリーンにより通過を阻止されて残留した異物を除去する除塵装置であって、前記バースクリーンの最下部付近から該バースクリーン上方の足場を超えた高さ位置までの長さを有したガイド棒と、該ガイド棒によって該ガイド棒の長手方向に沿って進退自在に支持されたレーキ部と、該レーキ部を該ガイド棒に沿って進退させる駆動機構と、を備え、前記駆動機構は、前記ガイド棒の上部に取り付けられた電動ウィンチと、該電動ウィンチによって巻き取られ且つ前記レーキ部に固定されたワイヤと、から成ることを特徴とする。
請求項２の発明は、請求項１において、前記ガイド棒の上部適所を支持する支持部材を保持した台座を備えていることを特徴とする。
請求項３の発明は、請求項１又は２において、前記台座上に作業者が搭乗できるように構成されていることを特徴とする。
請求項４の発明は、請求項３において、前記台座の底部に移動用のキャスターを設けたことを特徴とする。
請求項５の発明は、請求項１乃至４の何れか一項において、前記ガイド棒を伸縮自在に構成したことを特徴とする。
【発明の効果】
【０００７】
本発明の集塵装置は、バースクリーンの最下部付近から該バースクリーン上方の足場を超えた高さ位置までの長さを有したガイド棒と、該ガイド棒によって該ガイド棒の長手方向に沿って進退自在に支持されたレーキ部と、該レーキ部を該ガイド棒に沿って進退させる駆動機構と、を備えているため、流水によって運ばれてきたゴミ類をトラップして除去するために水中に配設されるバースクリーンのスクリーン面に付着、堆積するゴミ類を、バースクリーン上部にある足場に立った一人の作業者が比較的容易に、しかも効率的に除去、回収することができる。
【発明を実施するための最良の形態】
【０００８】
以下、本発明を図面に示した実施の形態により詳細に説明する。
図１（ａ）及び（ｂ）は本発明の一実施形態に係る除塵装置の構成を示す平面図、及び正面図であり、（ｃ）は使用状態の説明図である。
この除塵装置１は、取水口等の流水３１の流路３０中に設置されたバースクリーン３５により通過を阻止されてスクリーン面に残留したゴミ類（異物）４０を除去するための装置である。
除塵装置１は、バースクリーン３５の最下部付近からバースクリーン上方の足場３６を超えた高さ位置までの長さを有したガイド棒２と、ガイド棒２によってガイド棒の長手方向に沿って進退自在に支持されたレーキ部１０と、レーキ部１０をガイド棒２に沿って進退させる駆動機構２０と、から概略構成されている。
【０００９】
ガイド棒２は、軽量で十分な強度を有した金属材料、例えばアルミパイプ等により構成する。
レーキ部１０は、ガイド棒２に係合し、ガイド棒２に沿ってその長手方向へ進退自在に支持されたスライド部材１１と、スライド部材１１から前方へ一体的に突出した熊手状の掻き取り部材１２と、を備える。
駆動機構２０は、ガイド棒２の上部に取り付けられた電動ウィンチ２１と、電動ウィンチ２１によって巻き取られ且つレーキ部１０に一端を固定されたワイヤ２５と、を備えている。ウィンチ２１は、図示しないバッテリー或いは発電機からの電流によって回転駆動されるモータと、ワイヤ２５を巻き取ったり巻出しするローラ２２を有し、図示しない操作スイッチを操作することによってＯＮ、ＯＦＦしたり、回転方向を切り換えたり、回転速度を調整できるように構成されている。
ワイヤの巻出し時にはレーキ部１０の自重によって下降するように構成してもよい。
【００１０】
この除塵装置１の操作に当たっては、例えば作業者が手でガイド棒２の適所を把持してガイド棒先端を水底に当接させた状態で、バースクリーン３５の最下部に対応する位置にある掻き取り部材１２の先端部がバースクリーン３５の表面に当接するように位置決めしてから、電動ウィンチ２１の操作スイッチを作動させてワイヤ２５を巻き上げることにより、レーキ部１０の掻き取り部材１２の先端によってバースクリーン３５の表面、及び縦格子間を上向きに摺擦しながら移動する。このため、バースクリーン３５の表面、格子間に付着、堆積したゴミ類４０をバースクリーン面に沿って上方へ引き上げることができる。この際、ガイド棒２の先端を水底に押し付けて固定しておく等の手法を採ることにより、掻き取り部材２１の先端部がスクリーン面から浮き上がることなく確実にゴミ類を捕捉しつつ足場３６上に引き上げることが可能となる。
この作業をバースクリーン３５の全横幅方向へ作業者が移動しながら実施することにより、バースクリーンを全面的に清掃することができる。
【００１１】
掻き取り部材１２による掻き取り作業中は作業員はガイド棒を持ち上げて保持する必要はなく、電動ウィンチの巻き上げ力によってワイヤを巻き上げることによって掻き取り作業が実施されるので、労力が軽減される。横方向への移動時にだけ装置全体を横方向へ移動させるために力を要するが、装置全体を持ち上げる必要はないため、さしたる労力ではにない。
なお、ガイド棒２を複数の管材を伸縮自在に連結した伸縮式に構成することにより、足場３６から水底までの距離や、バースクリーンの高さ寸法の違いに応じてガイド棒２の長さを調整することができるので、一つの除塵装置１によって深さの異なる水底やバースクリーンのサイズの違いに応じつつ最適の状態で使用することができる。
【００１２】
次に、図２（ａ）は除塵装置の操作状態の説明図、（ｂ）はその正面図である。
この除塵装置１は、ガイド棒２の上部適所を支持する支持部材５１を保持した台座５０を備えた構成が特徴的である。台座５０の底部には必要に応じてキャスター５２を設けて任意の位置へ移動自在に構成すると共に、キャスター５２にはストッパを設けて掻き取り作業時には台座が動かないように構成する。
また、台座５０上に作業者が立つことができるように構成すれば、電動ウィンチ２１の操作がし易くなる。
【００１３】
ガイド棒２を台座５０に設けた支持部材５１によって支持しつつ、ガイド棒２の先端を水底に当接させることによりレーキ部１０を上昇させつつ掻き取り動作を実施する際に、レーキ部がスクリーン面から掻き取り部材１２が浮き上がることをより確実に防止することができる。或いは、ガイド棒２の先端を水底に当接させない場合においても、台座５０上に作業員が乗って台座５０の浮動を阻止しつつ支持部材５１によってガイド棒２を固定することにより、掻き取り作業中における掻き取り部材を浮き上がりを防止して確実にゴミ類を捕捉して足場まで回収することが可能となる。
なお、上記実施形態に係る除塵装置は電動ウィンチによりレーキ部１０を駆動するようにしたが、魚釣りに使用するリールの如き巻き取り手段を用いて手動操作によりワイヤを巻き上げるようにしてもよい。
【００１４】
本発明の除塵装置は狭い足場であっても使用することができ、しかも一人の作業員による使用が可能である。また、ガイド棒２、電動ウィンチ２１（手動リール）、ワイヤ２５、レーキ部１０からなる極めて簡素な構成であるため、軽量化、低コスト化を図ることができ、取扱性も向上する。
【図面の簡単な説明】
【００１５】
【図１】（ａ）及び（ｂ）は本発明の一実施形態に係る除塵装置の構成を示す平面図、及び正面図であり、（ｃ）は使用状態の説明図である。
【図２】（ａ）は除塵装置の操作状態の説明図、（ｂ）はその正面図である。
【図３】従来例の説明図である。
【符号の説明】
【００１６】
１…除塵装置、２…ガイド棒、１０…レーキ部、１１…スライド部材、１２…掻き取り部材、２０…駆動機構、２１…電動ウィンチ、２２…ローラ、２５…ワイヤ、３０…流路、３１…流水、３５…バースクリーン、３６…足場、４０…ゴミ類、５０…台座、５１…支持部材、５２…キャスター。
【図１】
2007191938.tif 000003
【図２】
2007191938.tif 000004
【図３】
2007191938.tif 000005